(57)【要約】【課題】本発明は、緊急を要するデータを確実にファクシミリ送信するファクシミリ装置、ファクシミリ通信システム、ファクシミリ通信制御方法、ファクシミリ通信制御プログラム及び記録媒体に関する。【解決手段】発呼端末であるファクシミリ装置１が、緊急送信の発呼において、着呼端末からファクシミリ通信不可のメッセージを受信すると、コールバック要求パラメータ及びコールＩＤを呼接続メッセージに付加して送信し、着呼端末からコールバック受付パラメータ及びコールＩＤの付加されている呼接続メッセージを受け取ると、画像データをコールＩＤに対応させて磁気ディスク部６に蓄積する。その後、発呼端末は、コールバック応答パラメータ及びコールＩＤの付加されている呼接続メッセージを着呼端末から受け取ると、磁気ディスク部６からコールＩＤに対応する画像データを取り出して着呼端末に送信する。【選択図】          図１
2011023916.tif 000002
【特許請求の範囲】
【請求項１】
相手装置との間で呼を接続するための呼接続メッセージを交換する呼接続メッセージ交換手段と、
前記呼接続メッセージ交換手段によって呼接続された相手装置とファクシミリ通信手順を実行してファクシミリデータの通信を行うファクシミリ通信制御手段と、
少なくともファクシミリデータの緊急送信を指示操作する操作手段と、
ファクシミリデータを蓄積する蓄積手段と、
前記操作手段で緊急送信が指示操作されたファクシミリデータの送信を行うための発呼において、相手装置がファクシミリ通信不可状態にあることを示すメッセージを前記呼接続メッセージ交換手段が受信すると、緊急送信を要求する旨の緊急送信要求パラメータ及び緊急送信を要求している呼を特定するための呼特定情報を前記呼接続メッセージ交換手段に前記呼接続メッセージへ付加させて送信させて、該相手装置から該緊急送信要求を受け付けた旨の緊急送信受付パラメータ及び該呼特定情報の付加されている呼接続メッセージを受け取ると、該呼特定情報に対応させて前記緊急送信対象のファクシミリデータを前記蓄積手段に蓄積して該相手装置からの緊急送信応答を待つ緊急送信応答待機状態に移行する緊急送信要求制御手段と、
前記緊急送信応答待機状態において、前記呼接続メッセージ交換手段が、緊急送信要求に応答する旨の緊急送信応答パラメータ及び前記呼特定情報の付加されている呼接続メッセージを前記相手装置から受け取ると、前記ファクシミリ通信制御手段に前記ファクシミリ通信手順を実行させて前記蓄積手段に蓄積されている前記ファクシミリデータを送信させる緊急送信制御手段と、
を備えていることを特徴とするファクシミリ装置。
【請求項２】
相手装置との間で呼を接続するための呼接続メッセージを交換する呼接続メッセージ交換手段と、
呼接続メッセージ交換手段によって呼接続された相手装置とファクシミリ通信手順を実行してファクシミリデータの通信を行うファクシミリ通信制御手段と、
ファクシミリデータの通信が可能であるか否か判定するファクシミリ通信可否判定手段と、
前記呼接続メッセージ交換手段が、緊急送信を要求する旨の緊急送信要求パラメータ及び該緊急送信を要求している呼を特定するための呼特定情報の付加されている呼接続メッセージを受信し、前記ファクシミリ通信可否判定手段がファクシミリデータの受信不可状態にあると判定すると、前記呼接続メッセージ交換手段に該緊急送信要求を受け付けた旨の緊急送信受付パラメータと該呼特定情報を前記呼接続メッセージに付加して送信させて緊急応答待機状態に移行する緊急応答待機制御手段と、
前記緊急応答待機状態において、前記ファクシミリ通信可否判定手段がファクシミリ通信可能状態になったと判定すると、前記呼接続メッセージ交換手段に緊急送信要求に応じる旨の緊急送信応答パラメータ及び前記呼特定情報を前記呼接続メッセージに付加させて前記緊急送信要求を行ってきた相手装置に送信させる緊急送信応答発呼を行わせ、該相手装置が応答すると、前記ファクシミリ通信制御手段に該相手装置からファクシミリデータを受信させる緊急応答制御手段と、
を備えていることを特徴とするファクシミリ装置。
【請求項３】
発呼側のファクシミリ装置と着呼側のファクシミリ装置との間でそれぞれの呼接続メッセージ交換手段によって呼接続メッセージを交換し、ファクシミリ通信制御手段によってファクシミリ通信手順を実行してファクシミリデータを送受信するファクシミリ通信システムにおいて、
前記発呼側のファクシミリ装置は、
少なくともファクシミリデータの緊急送信を指示操作する操作手段と、
ファクシミリデータを蓄積する蓄積手段と、
前記操作手段で緊急送信が指示操作されたファクシミリデータの送信を行うための発呼において、相手装置がファクシミリ通信不可状態にあることを示すメッセージを前記呼接続メッセージ交換手段が受信すると、緊急送信を要求する旨の緊急送信要求パラメータ及び緊急送信を要求している呼を特定するための呼特定情報を前記呼接続メッセージ交換手段に前記呼接続メッセージへ付加させて送信させて、該相手装置から該緊急送信要求を受け付けた旨の緊急送信受付パラメータ及び該呼特定情報の付加されている呼接続メッセージを受け取ると、該呼特定情報に対応させて前記緊急送信対象のファクシミリデータを前記蓄積手段に蓄積して該相手装置からの緊急送信応答を待つ緊急送信応答待機状態に移行する緊急送信要求制御手段と、
前記緊急送信応答待機状態において、前記呼接続メッセージ交換手段が、緊急送信要求に応答する旨の緊急送信応答パラメータ及び前記呼特定情報の付加されている呼接続メッセージを前記相手装置から受け取ると、前記ファクシミリ通信制御手段に前記ファクシミリ通信手順を実行させて前記蓄積手段に蓄積されている前記ファクシミリデータを送信させる緊急送信制御手段と、
を備え、
前記着呼側のファクシミリ装置は、
ファクシミリデータの通信が可能であるか否か判定するファクシミリ通信可否判定手段と、
前記呼接続メッセージ交換手段が、緊急送信を要求する旨の緊急送信要求パラメータ及び該緊急送信を要求している呼を特定するための呼特定情報の付加されている呼接続メッセージを受信し、前記ファクシミリ通信可否判定手段がファクシミリデータの受信不可状態にあると判定すると、前記呼接続メッセージ交換手段に該緊急送信要求を受け付けた旨の緊急送信受付パラメータと該呼特定情報を前記呼接続メッセージに付加して送信させて緊急応答待機状態に移行する緊急応答待機制御手段と、
前記緊急応答待機状態において、前記ファクシミリ通信可否判定手段がファクシミリ通信可能状態になったと判定すると、前記呼接続メッセージ交換手段に緊急送信要求に応じる旨の緊急送信応答パラメータ及び前記呼特定情報を前記呼接続メッセージに付加させて前記緊急送信要求を行ってきた相手装置に送信させる緊急送信応答発呼を行わせ、該相手装置が応答すると、前記ファクシミリ通信制御手段に該相手装置からファクシミリデータを受信させる緊急応答制御手段と、
を備えていることを特徴とするファクシミリ通信システム。
【請求項４】
前記発呼側のファクシミリ装置は、
ファクシミリデータの通信が可能であるか否か判定するファクシミリ通信可否判定手段を、さらに備え、
前記緊急送信制御手段は、前記呼接続メッセージ交換手段が、前記着呼側のファクシミリ装置から前記緊急送信応答パラメータと前記呼特定情報の付加されている呼接続メッセージを受け取り、前記ファクシミリ通信可否判定手段がファクシミリデータの通信不可と判定しても、ファクシミリデータを受信する受信系にのみに該通信不可の理由がある場合には、前記呼接続メッセージ交換手段に呼を接続させる応答を行わせ、前記ファクシミリ通信制御手段に前記ファクシミリ通信手順を実行させて前記蓄積手段に蓄積されている前記ファクシミリデータを該着呼側のファクシミリ装置にファクシミリ送信させることを特徴とする請求項３記載のファクシミリ通信システム。
【請求項５】
前記着呼側のファクシミリ装置の前記緊急応答制御手段は、前記発呼側のファクシミリ装置への前記緊急送信応答発呼を行った際に、該発呼側のファクシミリ装置が応答不可状態にあると、以降の該緊急送信応答発呼を中止することを特徴とする請求項３または請求項４記載のファクシミリ通信システム。
【請求項６】
前記着呼側のファクシミリ装置の前記緊急応答制御手段は、前記発呼側のファクシミリ装置への前記緊急送信応答発呼を行った際に、該発呼側のファクシミリ装置がビジーを理由として応答不可状態にあると、所定の待ち時間を空けて再度緊急送信応答発呼を行うことを特徴とする請求項３または請求項４記載のファクシミリ通信システム。
【請求項７】
前記発呼側のファクシミリ装置の前記緊急送信制御手段は、前記緊急送信要求パラメータ及び前記呼特定情報を付加した前記呼接続メッセージを送信する発呼を前記着呼側のファクシミリ装置に行った後、所定の応答待ち時間の間に、該着呼側のファクシミリ装置から前記緊急送信応答発呼を未受信であると、前記緊急送信応答待機状態を解除することを特徴とする請求項３から請求項６のいずれかに記載のファクシミリ通信システム。
【請求項８】
前記発呼側のファクシミリ装置は、
送信先のファクシミリ装置毎に緊急送信を行うか否かの緊急送信要否を設定する設定手段と、
前記設定手段で設定された緊急送信要否を送信先毎に緊急送信要否設定テーブルとして記憶する緊急送信要否設定テーブル記憶手段と、
前記ファクシミリデータの送信先を指定する送信先指定手段と、
前記緊急送信要求制御手段は、前記送信先指定手段で送信先が指定されると、前記緊急送信要否設定テーブルを参照して前記緊急送信要求処理の実行の可否を制御することを特徴とする請求項３から請求項７のいずれかに記載のファクシミリ通信システム。
【請求項９】
発呼側のファクシミリ装置と着呼側のファクシミリ装置との間でそれぞれの呼接続メッセージ交換処理ステップによって呼接続メッセージを交換する通信が可能であると、ファクシミリ通信制御処理ステップによってファクシミリ通信手順を実行してファクシミリデータを送受信するファクシミリ通信制御方法であって、
前記発呼側のファクシミリ装置は、
ファクシミリ通信における各種指示操作を行う操作処理ステップと、
前記操作処理ステップで緊急送信が指示操作されて、前記呼接続メッセージ交換処理ステップでファクシミリ通信が不可であることを前記着呼側のファクシミリ装置が返答してくると、前記呼接続メッセージ交換処理ステップで、緊急送信を要求する緊急送信要求パラメータ及び該緊急送信を要求している呼を特定するための呼特定情報を前記呼接続メッセージに付加させて送信させる緊急情報付加処理ステップと、
前記緊急送信要求パラメータ及び前記呼特定情報を付加した呼に対応させて前記緊急送信要求の対象であるファクシミリデータを所定の蓄積手段に蓄積する蓄積制御処理ステップと、
前記呼接続メッセージ交換処理ステップで、前記緊急情報付加処理ステップによって前記緊急送信要求パラメータ及び呼特定情報の付加されている呼接続メッセージに応じて前記着呼側のファクシミリ装置から緊急送信応答パラメータと呼特定情報の付加されている呼接続メッセージを受け取ると、前記ファクシミリ通信制御処理ステップで、前記ファクシミリ通信手順を実行させて、前記蓄積手段に蓄積されている前記ファクシミリデータを該着呼側のファクシミリ装置に送信させる緊急送信制御処理ステップと、
を有し、
前記着呼側のファクシミリ装置は、
ファクシミリデータの通信が可能であるか否か判定するファクシミリ通信可否判定処理ステップと、
前記呼接続メッセージ交換処理ステップで、緊急送信を要求する旨の緊急送信要求パラメータ及び該緊急送信を要求している呼を特定するための呼特定情報の付加されている呼接続メッセージを受信し、前記ファクシミリ通信可否判定処理ステップでファクシミリデータの受信不可状態にあると判定されると、前記呼接続メッセージ交換処理ステップで該緊急送信要求を受け付けた旨の緊急送信受付パラメータと該呼特定情報を前記呼接続メッセージに付加して送信させて緊急応答待機状態に移行する緊急応答待機制御処理ステップと、
前記ファクシミリ通信可否判定処理ステップでファクシミリ通信可能状態になったと判定されると、前記呼接続メッセージ交換処理ステップで緊急送信要求に応じる旨の緊急送信応答パラメータ及び前記呼特定情報を前記呼接続メッセージに付加させて前記緊急送信要求を行ってきた発呼側のファクシミリ装置に送信させる緊急送信応答発呼を行わせ、該発呼側のファクシミリ装置が応答すると、前記ファクシミリ通信制御処理ステップで該発呼側のファクシミリ装置からファクシミリデータを受信させる緊急応答制御処理ステップと、
を有していることを特徴とするファクシミリ通信制御方法。
【請求項１０】
発呼側のファクシミリ装置と着呼側のファクシミリ装置との間でそれぞれの呼接続メッセージ交換処理によって呼接続メッセージを交換し、ファクシミリ通信制御処理によってファクシミリ通信手順を実行してファクシミリデータを送受信する該発呼側のファクシミリ装置及び着呼側のファクシミリ装置に搭載されるファクシミリ通信制御プログラムであって、
前記発呼側のファクシミリ装置のコンピュータに、
ファクシミリ通信における各種指示操作を行う操作処理と、
前記操作処理で緊急送信が指示操作されて、前記呼接続メッセージ交換処理でファクシミリ通信が不可であることを前記着呼側のファクシミリ装置が返答してくると、前記呼接続メッセージ交換処理で、緊急送信を要求する緊急送信要求パラメータ及び該緊急送信を要求している呼を特定するための呼特定情報を前記呼接続メッセージに付加させて送信させる緊急情報付加処理と、
前記緊急送信要求パラメータ及び前記呼特定情報を付加した呼に対応させて前記緊急送信要求の対象であるファクシミリデータを所定の蓄積手段に蓄積する蓄積制御処理と、
前記呼接続メッセージ交換処理で、前記緊急情報付加処理によって前記緊急送信要求パラメータ及び呼特定情報の付加されている呼接続メッセージに応じて前記着呼側のファクシミリ装置から緊急送信応答パラメータと呼特定情報の付加されている呼接続メッセージを受け取ると、前記ファクシミリ通信制御処理で、前記ファクシミリ通信手順を実行させて、前記蓄積手段に蓄積されている前記ファクシミリデータを該着呼側のファクシミリ装置に送信させる緊急送信制御処理と、
を実行させ、
前記着呼側のファクシミリ装置のコンピュータに、
ファクシミリデータの通信が可能であるか否か判定するファクシミリ通信可否判定処理と、
前記呼接続メッセージ交換処理で、緊急送信を要求する旨の緊急送信要求パラメータ及び該緊急送信を要求している呼を特定するための呼特定情報の付加されている呼接続メッセージを受信し、前記ファクシミリ通信可否判定処理でファクシミリデータの受信不可状態にあると判定されると、前記呼接続メッセージ交換処理で該緊急送信要求を受け付けた旨の緊急送信受付パラメータと該呼特定情報を前記呼接続メッセージに付加して送信させて緊急応答待機状態に移行する緊急応答待機制御処理と、
前記ファクシミリ通信可否判定処理でファクシミリ通信可能状態になったと判定されると、前記呼接続メッセージ交換処理で緊急送信要求に応じる旨の緊急送信応答パラメータ及び前記呼特定情報を前記呼接続メッセージに付加させて前記緊急送信要求を行ってきた発呼側のファクシミリ装置に送信させる緊急送信応答発呼を行わせ、該発呼側のファクシミリ装置が応答すると、前記ファクシミリ通信制御処理で該発呼側のファクシミリ装置からファクシミリデータを受信させる緊急応答制御処理と、
を実行させることを特徴とするファクシミリ通信制御プログラム。
【請求項１１】
請求項１０記載のファクシミリ通信制御プログラムを記録したことを特徴とするコンピュータが読み取り可能な記録媒体。
【発明の詳細な説明】
【技術分野】
【０００１】
本発明は、ファクシミリ装置、ファクシミリ通信システム、ファクシミリ通信制御方法、ファクシミリ通信制御プログラム及び記録媒体に関し、詳細には、緊急を要するデータを確実にファクシミリ送信するファクシミリ装置、ファクシミリ通信システム、ファクシミリ通信制御方法、ファクシミリ通信制御プログラム及び記録媒体に関する。
【背景技術】
【０００２】
回線を使用して画像データを送受信するファクシミリ通信においては、発呼側から着呼側に発呼して着呼側が応答すると、ファクシミリ通信手順に従ってファクシミリ通信し、画像データを発呼側から着呼側に送信する。
【０００３】
そして、ファクシミリ通信においては、着呼側がビジーや紙切れ等によって着呼できない場合には、ファクシミリ通信が確立せず、画像データの送信を行うことができない。
【０００４】
この場合、商品受注センター等のようにファクシミリ通信のトラフィックが非常に高い場合、例えば、支店から商品受注センターに緊急に注文伝票の画像データをファクシミリ送信したい場合であっても、商品受注センターのファクシミリ装置が次々に新たなファクシミリ受信を行っていると、支店のファクシミリ装置から商品受注センターのファクシミリ装置に再発呼機能によって再発呼を繰り返しても、長時間送信することができない事態が発生することがある。
【０００５】
そこで、従来、発呼側から着呼側に発呼して、着呼側がビジー等の理由で画像データの送信を行うことができなかったときに、該発呼側が着呼側のＩＰアドレスを記憶するとともに該画像データを保管し、該発呼側に、着呼があって応答したが、予め設定されている時間内に画像データが送信されてこないと、該着呼の相手先のＩＰアドレスを先に記憶しているＩＰアドレスと比較して、ＩＰアドレスが一致すると、保管している画像データを該相手先に送信するネットワークファクシミリ装置が提案されている（特許文献１参照）。
【発明の概要】
【発明が解決しようとする課題】
【０００６】
しかしながら、上記公報記載の従来技術にあっては、着呼側から発呼側に接続したとき、先の着信がビジーで接続できなかったために、その着呼側が応答できなかった該着呼に対して、その着呼の発呼側に発呼してきたのか否かを判断するために、予め設定されている時間内に、その発呼側から画像データが送信されてくるか否かチェックして、該時間内に画像データが送信されてこないと、ＩＰプロトコルに基づいて先に発呼した相手先からの呼び返しによる着呼であると判断して、保管していた画像データを送信するようになっているため、着呼のあった相手先が先に発呼して画像データを送信することのできなかった相手先であるか否かを判断するまでに時間を要し、処理速度を向上させるとともに、確実に画像データを送信する上で、改良の必要があった。
【０００７】
すなわち、ファクシミリ通信においては、本来、呼の接続が完了した後、ファクシミリプロトコルが開始されるまでの時間は、ＩＴＵ−Ｔ勧告で規定されており、また、呼接続後は、まず、着呼側からプログラム制御信号を送信して、発呼側からの応答を待ってファクシミリ通信プロトコルを進める手順となっている。したがって、上記公報記載の従来技術にあっては、着呼側からのファクシミリ制御信号が発呼側に届かずに画像データを送信してこないのか、発呼側が先の着呼に応答する呼び返しを実現するために画像データを送信してこないのかの区別がつかず、適切な手順を実行することができない事態が発生するおそれがあるとともに、着呼側は、所定の設定時間の間は、画像データが送信されてこないことを確認する必要があり、ファクシミリ通信の処理速度を向上させる上で改良の必要があった。
【０００８】
そこで、本発明は、緊急を要するファクシミリデータを確実にかつ速やかに送信することのできるファクシミリ装置、ファクシミリ通信システム、ファクシミリ通信制御方法、ファクシミリ通信制御プログラム及び記録媒体を提供することを目的としている。
【課題を解決するための手段】
【０００９】
本発明は、上記目的を達成するために、緊急送信が指示操作されたファクシミリデータの送信を行うための発呼において、相手装置がファクシミリ通信不可状態にあることを示すメッセージを受信すると、緊急送信を要求する旨の緊急送信要求パラメータ及び緊急送信を要求している呼を特定するための呼特定情報を呼接続メッセージへ付加して送信し、該相手装置から該緊急送信要求を受け付けた旨の緊急送信受付パラメータ及び該呼特定情報の付加されている呼接続メッセージを受け取ると、該呼特定情報に対応させて前記緊急送信対象のファクシミリデータを所定の蓄積手段に蓄積して該相手装置からの緊急送信応答を待つ緊急送信応答待機状態に移行し、該緊急送信応答待機状態において、着呼があって、緊急送信要求に応答する旨の緊急送信応答パラメータ及び前記呼特定情報の付加されている呼接続メッセージを受け取ると、該蓄積手段に蓄積されている該ファクシミリデータを送信することを特徴としている。
【００１０】
また、本発明は、上記目的を達成するために、緊急送信を要求する旨の緊急送信要求パラメータ及び該緊急送信を要求している呼を特定するための呼特定情報の付加されている呼接続メッセージを受信しても、ファクシミリデータの受信不可状態にあると、該緊急送信要求を受け付けた旨の緊急送信受付パラメータと該呼特定情報を呼接続メッセージに付加して送信して緊急応答待機状態に移行し、該緊急応答待機状態において、ファクシミリ通信可能状態になると、緊急送信要求に応じる旨の緊急送信応答パラメータ及び前記呼特定情報を前記呼接続メッセージに付加して前記緊急送信要求を行ってきた相手装置に送信する緊急送信応答発呼を行って、該相手装置が応答すると、該相手装置からファクシミリデータを受信することを特徴としている。
【００１１】
さらに、本発明は、上記目的を達成するために、発呼側のファクシミリ装置が、緊急送信が指示操作されたファクシミリデータの送信を行うための発呼において、着呼側のファクシミリ装置からファクシミリ通信不可状態にあることを示すメッセージを受信すると、緊急送信を要求する旨の緊急送信要求パラメータ及び緊急送信を要求している呼を特定するための呼特定情報を呼接続メッセージへ付加して送信し、該着呼側のファクシミリ装置から該緊急送信要求を受け付けた旨の緊急送信受付パラメータ及び該呼特定情報の付加されている呼接続メッセージを受け取ると、該呼特定情報に対応させて前記緊急送信対象のファクシミリデータを所定の蓄積手段に蓄積して該着呼側のファクシミリ装置からの緊急送信応答を待つ緊急送信応答待機状態に移行し、該緊急送信応答待機状態において、着呼があって、緊急送信要求に応答する旨の緊急送信応答パラメータ及び前記呼特定情報の付加されている呼接続メッセージを受け取ると、該蓄積手段に蓄積されている該ファクシミリデータを送信し、着呼側のファクシミリ装置が、緊急送信を要求する旨の緊急送信要求パラメータ及び該緊急送信を要求している呼を特定するための呼特定情報の付加されている呼接続メッセージを受信しても、ファクシミリデータの受信不可状態にあると、該緊急送信要求を受け付けた旨の緊急送信受付パラメータと該呼特定情報を呼接続メッセージに付加して送信して緊急応答待機状態に移行し、該緊急応答待機状態において、ファクシミリ通信可能状態になると、緊急送信要求に応じる旨の緊急送信応答パラメータ及び前記呼特定情報を前記呼接続メッセージに付加して前記緊急送信要求を行ってきた発呼側のファクシミリ装置に送信する緊急送信応答発呼を行って、該発呼側のファクシミリ装置が応答すると、該発呼側のファクシミリ装置からファクシミリデータを受信することを特徴としている。
【００１２】
また、本発明は、発呼側のファクシミリ装置が、着呼側のファクシミリ装置から前記緊急送信応答パラメータと前記呼特定情報の付加されている呼接続メッセージを受け取り、ファクシミリデータの通信不可状態であって、ファクシミリデータを受信する受信系にのみに該通信不可の理由がある場合には、呼を接続する応答を行って、前記蓄積手段に蓄積されている前記ファクシミリデータを該着呼側のファクシミリ装置にファクシミリ送信することを特徴としていてもよい。
【発明の効果】
【００１３】
本発明によれば、緊急を要するファクシミリデータを確実にかつ速やかに送信することができる。
【図面の簡単な説明】
【００１４】
【図１】本発明の第１実施例を適用したファクシミリ装置のブロック構成図。
【図２】発呼側の発呼時の緊急ファクシミリ通信制御処理を示すフローチャート。
【図３】呼接続メッセージのコールバック要求パラメータ及びＣａｌｌＩＤの一例を示す図。
【図４】呼接続メッセージのコールバック受付パラメータ及びＣａｌｌＩＤの一例を示す図。
【図５】コールバック応答受信管理テーブルの一例を示す図。
【図６】着呼側の緊急ファクシミリ通信制御処理を示すフローチャート。
【図７】呼接続メッセージのコールバック応答パラメータ及びＣａｌｌＩＤの一例を示す図。
【図８】発呼側の着信時の緊急ファクシミリ通信制御処理を示すフローチャート。
【図９】呼接続メッセージのシーケンス図。
【図１０】緊急宛先管理テーブルの一例を示す図。
【図１１】緊急宛先管理テーブルを利用した発呼側の発呼時の緊急ファクシミリ通信制御処理を示すフローチャート。
【図１２】発呼側の着信時の緊急ファクシミリ通信制御処理を示すフローチャート。
【図１３】第３実施例における着呼側の緊急ファクシミリ通信制御処理を示すフローチャート。
【図１４】第４実施例における着呼側の緊急ファクシミリ通信制御処理を示すフローチャート。
【図１５】コールバック応答受信待ち管理テーブルの一例を示す図。
【図１６】第５実施例における発呼側の着信時の緊急ファクシミリ通信制御処理を示すフローチャート。
【発明を実施するための形態】
【００１５】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１６】
図１〜図１１は、本発明のファクシミリ装置、ファクシミリ通信システム、ファクシミリ通信制御方法、ファクシミリ通信制御プログラム及び記録媒体の第１実施例を示す図であり、図１は、本発明のファクシミリ装置、ファクシミリ通信システム、ファクシミリ通信制御方法、ファクシミリ通信制御プログラム及び記録媒体の第１実施例を適用したファクシミリ装置１のブロック構成図である。
【００１７】
図１において、ファクシミリ装置１は、スキャナ部２、プロッタ部３、操作表示部４、時計回路部５、磁気ディスク部６、受信系エラー検出部７、呼接続メッセージエンコード部８、呼接続メッセージデコード部９、コールＩＤ（ＣａｌｌＩＤ）生成部１０、呼接続メッセージ送信部１１、呼接続メッセージ受信部１２、ファクシミリ通信制御部１３及び通信数管理部１４等を備えており、上記各部は、バス１５により接続されている。なお、ファクシミリ装置１は、図示しないが、ＬＡＮ（Local Area Network）等のネットワークと接続して、ネットワーク上のコンピュータ等の通信端末との間でデータの授受を行うネットワーク通信部を備えていてもよい。
【００１８】
スキャナ部２は、例えば、ＣＣＤ（Charge Coupled Device ）を利用したイメージスキャナ等が利用されており、一般にＡＤＦ（自動原稿送り装置）を備えている。ＡＤＦは、セットされた複数枚の原稿を１枚ずつスキャナ部２の原稿読み取り位置に送給し、スキャナ部２は、ＡＤＦから搬送されてきた原稿を走査して、原稿のカラー画像を所定の解像度で読み取ってＲＧＢの画像データとして読み取り画像データを出力する。
【００１９】
プロッタ部３は、電子写真式記録装置、インク噴射式記録装置等が用いられており、スキャナ部２で読み取った原稿の画像データ、ファクシミリ通信制御部１３でファクシミリ受信したファクシミリデータに基づいてカラー画像や白黒画像を用紙に記録出力する。なお、ファクシミリ装置１がネットワーク通信部を備えているときには、プロッタ部３は、ネットワーク通信部を介して受信した画像データに基づいて画像を用紙に記録出力する。
【００２０】
操作表示部(操作手段）４は、テンキー、スタートキー、ファンクションキー、ワンタッチダイヤルキー及び短縮ダイヤルキー等のファクシミリ装置１の操作に必要な各種操作キー及び液晶ディスプレイ等の表示部が設けられている。操作表示部４は、操作キーからファクシミリ装置１の操作、特に、後述するファクシミリ通信制御方法を実行するのに必要な各種操作が行われ、表示部に、該操作キーから入力された命令内容やファクシミリ装置１からオペレータに通知する各種情報、特に、後述するファクシミリ通信制御方法における各種情報を表示する。
【００２１】
時計回路部５は、発振回路や分周回路等を備え、現在時刻の計時やファクシミリ装置１の各部の動作タイミングをとるための各種クロックを発生する。特に、時計回路部５は、後述するファクシミリ通信制御方法を実行するための各種設定時間の計時を行う。
【００２２】
磁気ディスク部（蓄積手段）６は、例えば、ハードディスク等で構成され、スキャナ部２の読み取った原稿の画像データ、ファクシミリ通信制御部１３のファクシミリ受信した受信画像データ及びその他の必要なデータを記憶し、また、読み出される。
【００２３】
受信系エラー検出部７は、回線から着信に対して応答が不可能な場合に、その原因の検出を行う。
【００２４】
呼接続メッセージエンコード部８は、着信時の呼接続手順において、パラメータとコールＩＤ（ＣａｌｌＩＤ）を相手端末に送信する。
【００２５】
呼接続メッセージデコード部９は、発呼時の呼接続手順において、相手機から送信されてくるパラメータとコールＩＤをデコードする。
【００２６】
コールＩＤ生成部１０は、緊急送信要求（コールバック要求）を伴った発呼を行う場合に、該発呼を特定する呼特定情報としてコールＩＤ（ＣａｌｌＩＤ）を生成する。
【００２７】
呼接続メッセージ送信部１１は、ファクシミリ通信の呼接続時において、各呼接続メッセージ、例えば、パラメータ、コールＩＤ等を相手端末に送信する。
【００２８】
呼接続メッセージ受信部１２は、ファクシミリ通信の呼接続時において、相手端末からの呼接続メッセージを受信する。
【００２９】
ファクシミリ通信制御部（ファクシミリ通信制御手段）１３は、図示しない回線に接続され、該回線を介して相手端末との間でファクシミリ制御信号を交換して呼接続処理及びデータ通信処理を実行する。
【００３０】
通信数管理部（ファクシミリ通信可否判定手段）１４は、着信している着呼個数や発呼している発呼個数を監視し、着信可能状態であるか否かを管理する。
【００３１】
なお、ファクシミリ装置１は、図示しないＣＰＵ（Central Processing Unit ）が、図示しないＲＯＭ（Read Only Memory）または磁気ディスク部６に格納されているファクシミリ装置１としての基本プログラム及び本発明のファクシミリ通信制御方法を実行するファクシミリ通信制御プログラムを実行することで、ファクシミリ装置１としての基本処理及び後述するファクシミリ通信制御処理を実行する。この場合、上記各部のうち、受信系エラー検出部７、呼接続メッセージエンコード部８、呼接続メッセージデコード部９、コールＩＤ生成部１０、呼接続メッセージ送信部１１、呼接続メッセージ受信部１２及び通信数管理１４等は、ＣＰＵがＲＯＭや磁気ディスク部６のプログラムを実行することで機能モジュールとして構築されていてもよいし、ハードウェア構成されていてもよい。
【００３２】
そして、ファクシミリ装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明のファクシミリ通信制御方法を実行するファクシミリ通信制御プログラムを読み込んでＲＯＭや磁気ディスク部６に導入することで、後述する緊急を要する画像データを確実に送信するファクシミリ通信制御方法を実行するファクシミリ装置として構築されている。このファクシミリ通信制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３３】
そして、上記呼接続メッセージエンコード部８、呼接続メッセージデコード部９、コールＩＤ生成部１０、呼接続メッセージ送信部１１及び呼接続メッセージ受信部１２は、全体として、呼接続メッセージ交換手段として機能し、ＣＰＵは、発呼側の緊急送信要求制御手段及び緊急送信制御手段として機能し、また、着呼側の緊急応答待機制御手段及び緊急応答制御手段として機能する。
【００３４】
次に、本実施例の作用を説明する。本実施例のファクシミリ装置１は、ファクシミリの発呼を行う場合、コールバックを指定するパラメータと発呼を特定するコールＩＤを付加して送信して画像データを送信できなかった場合、相手先からコールバックによる発呼を指定するパラメータとコールＩＤの付加された発呼があると、該発呼に応じて送信できなかった画像データを該相手先に送信する。
【００３５】
なお、以下の説明では、発呼側及び着呼側の双方に、上記ファクシミリ装置１が設置されており、説明を明確にするために、コールバック要求を伴って最初に発呼する側のファクシミリ装置１を発呼端末Ｔａ、この発呼を受ける側のファクシミリ装置１を着呼端末Ｔｂという。そして、コールバック要求に応じて着呼端末Ｔｂが発呼端末Ｔａにコールバックするものとして説明する。
【００３６】
発呼端末Ｔａのユーザは、緊急を要する画像データ（ファクシミリデータ）を送信したい場合、発呼端末Ｔａのスキャナ部２に送信原稿をセットして操作表示部４の操作によって緊急送信モードと送信先及び送信対象の画像データを指定した送信指示を行う。
【００３７】
発呼端末Ｔａは、図２に示すように発呼側の緊急ファクシミリ通信制御処理を行う。すなわち、発呼端末Ｔａは、待機時に発呼要求があったかチェックし（ステップＳ１０１）、発呼要求があると、該発呼要求が緊急送信の指定されている発呼要求であるかチェックする（ステップＳ１０２）。
【００３８】
ステップＳ１０２で、緊急送信が指定されていないときには、呼接続メッセージエンコード部８が通常の呼接続メッセージを生成して呼接続メッセージ送信部１１から相手端末に送信し（ステップＳ１０３）、緊急送信が指定されていると、呼接続メッセージエンコード部８が、緊急送信要求用のコールバック要求パラメータ（緊急送信要求パラメータ）を、呼接続メッセージの端末が自由にパラメータを設定できる領域に追加して（ステップＳ１０４）、呼接続メッセージ送信部１１から該パラメータの追加されている呼接続メッセージを送信する（ステップＳ１０３）。発呼端末Ｔａは、この緊急送信要求用のパラメータとして、例えば、図３に示すように、呼接続メッセージ中にコールバック要求パラメータを追加するとともに、緊急送信要求の個を呼特定情報としてのコールＩＤ（ＣａｌｌＩＤ）を設定して、送信する。
【００３９】
発呼端末Ｔａは、呼接続メッセージを着呼端末Ｔｂに送信すると、相手端末（着呼端末Ｔｂ）がビジーであるかチェックし（ステップＳ１０５）、ビジーではなく、通常の着呼を行って、呼接続メッセージ送信部１１及び呼接続メッセージ受信部１２によってファクシミリ通信手順が実行されると、スキャナ部２で原稿の画像データを読み取って必要な画像処理、特に、ファクシミリ送信に対応した符号化方式によって符号化した後、通常のファクシミリ通信プロトコルの通信手順により画像データ（ファクシミリデータ）を相手端末である着呼端末Ｔｂに送信して、処理を終了する。
【００４０】
ステップＳ１０５で、相手端末（着呼端末Ｔｂ）がビジー等によって応答できないときには、着呼端末Ｔｂから送られてくる呼接続メッセージを、呼接続メッセージ受信部１２で受信して、呼接続メッセージデコード部９でデコードして、該呼接続メッセージに「コールバック受け付け」を表すパラメータ（コールバック受付パラメータ：緊急送信受付パラメータ）がセット（追加）されているかチェックし（ステップＳ１０７）、コールバック受付パラメータがセットされていないときには、予め設定されている再発呼時間だけ待って再発呼する再発呼待機待ちを行って（ステップＳ１０８）、ステップＳ１０１から上記同様に処理する（ステップＳ１０３〜Ｓ１０８）。なお、発呼端末Ｔａは、この場合、予め設定されている再発呼回数だけ、再発呼処理を行って、ステップＳ１０５で、相手端末が応答しないときには、再発呼処理を中止する。
【００４１】
そして、着呼端末Ｔｂは、後述するように、呼接続メッセージ受信部１２によって着信を受けて、呼接続メッセージデコード部９により呼接続メッセージをデコードし、呼接続メッセージにコールバック応答パラメータがセットされていると、通信数管理部１４を使用して、着信可能状態であるか否かを確認する。着呼端末Ｔｂは、着信応答できるときには、ファクシミリ通信制御部１３を使用して、通常のファクシミリ受信プロトコルを開始する。また、着呼端末Ｔｂは、ビジー等で応答できないときには、図４に示すように、呼接続メッセージエンコード部８によって、切断用呼接続メッセージにコールバック受付パラメータを追加するとともに、コールＩＤ生成部１０によってコールＩＤ（ＣａｌｌＩＤ）を生成して付加し、呼接続メッセージ送信部１１から該コールバック受付パラメータとコールＩＤを付加した切断用呼接続メッセージを発呼端末Ｔａに送信する。
【００４２】
発呼端末Ｔａは、ステップＳ１０７で、相手端末である着呼端末Ｔｂからの呼接続メッセージにコールバック受付パラメータがセットされていると、スキャナ部２で原稿の画像データを読み取って必要な画像処理を施した後、画像データを磁気ディスク部６に保存するとともに（ステップＳ１０９）、該相手端末から送られてきた呼接続メッセージのコールバック受付パラメータからコールＩＤを取得して、図５に示すようなコールバック応答受信管理テーブルに登録する（ステップＳ１１０）。このコールバック応答受信管理テーブルは、磁気ディスク部６または図示しないＮＶＲＡＭ（Nonvolatile Random Access Memory）等に保管され、図５に示すように、宛先としてＩＰアドレスが登録されるとともに、ＩＰアドレスと対応させて呼特定情報としてのコールＩＤ（ＣａｌｌＩＤ）が登録されている。
【００４３】
発呼端末Ｔａは、送信原稿とコールＩＤを保存すると、着呼端末Ｔｂからのコールバックを待つコールバック待ち状態として、待機する（ステップＳ１１１）。
【００４４】
そして、着呼端末Ｔｂは、図６に示すように着呼側の緊急ファクシミリ通信制御処理を行う。すなわち、着呼端末Ｔｂは、着信があるかチェックして（ステップＳ２０１）、着信があると、通信数管理部１４によって自端末が受信応答可能な状態であるかチェックし（ステップＳ２０２）、受信が可能な状態であると、ファクシミリ通信制御部１３によって通常のファクシミリ受信プロトコルを開始して通常のファクシミリ受信処理を行う（ステップＳ２０３）。
【００４５】
ステップＳ２０２で、自端末がビジー等で応答できないときには、呼接続メッセージでコード部９で呼接続メッセージをデコードして、呼接続メッセージに緊急送信指定があるか、すなわち、コールバック要求パラメータが付加されているかチェックし（ステップＳ２０４）、コールバック要求パラメータが付加されておらず、緊急送信指定がないときには、通常の切断用呼接続メッセージを呼接続メッセージ送信部１１から発呼端末Ｔａへ送信して処理を終了する（ステップＳ２０５）。
【００４６】
ステップＳ２０４で、呼接続メッセージにコールバック要求パラメータが付加されていて緊急送信指定があると、切断用呼接続メッセージにコールバック受付パラメータ（緊急送信受付パラメータ）を付加するとともに、コールＩＤ（ＣａｌｌＩＤ）を付加して（ステップＳ２０６）、呼接続メッセージ送信部１１から発呼端末Ｔａへ送信する（ステップＳ２０７）。
【００４７】
着呼端末Ｔｂは、切断用呼接続メッセージを送信すると、発呼端末ＴａのＩＰアドレスを、磁気ディスク部６または図示しないＮＶＲＡＭ等に保管されているコールバック要求管理テーブルのコールバック宛先に登録するとともに（ステップＳ２０８）、この宛先（ＩＰアドレス）に対応させて、送信したコールＩＤ（ＣａｌｌＩＤ）を登録して緊急応答待機状態（コールバック応答待機状態）に移行し（ステップＳ２０９）、発呼可能な状態になったかチェックする（ステップＳ２１０）。このコールバック要求管理テーブルは、例えば、図５に示したコールバック応答受信管理テーブルと同様の構成であり、少なくとも、コールバック宛先とコールＩＤが登録される。
【００４８】
ステップＳ２１０で、緊急応答待機状態（コールバック応答待機状態）において、発呼可能な状態になると、着呼端末Ｔｂは、コールバック要求管理テーブルを参照して、コールバック宛先からＩＰアドレスを取り出し（ステップＳ２１１）、コールバック要求管理テーブルから該ＩＰアドレスに対応させて登録されているコールＩＤ（ＣａｌｌＩＤ）を取り出して、呼接続メッセージエンコード部８によって、図７に示すように、呼接続メッセージにコールバック応答パラメータをセット（付加）するとともに、コールＩＤ（ＣａｌｌＩＤ）をセットする（ステップＳ２１２）。
【００４９】
着呼端末Ｔｂは、コールバック応答を表すパラメータを追加した呼接続メッセージを呼接続メッセージエンコード部８によって生成し、呼接続メッセージ送信部１１から発呼端末Ｔａに送信する（ステップＳ２１３）。
【００５０】
着呼端末Ｔｂは、コールバック応答を表すパラメータを追加した呼接続メッセージを発呼端末Ｔａに送信すると、相手先が応答したかチェックし（ステップＳ２１４）、応答しないときには、処理を終了する。
【００５１】
ステップＳ２１４で、相手先である発呼端末Ｔａが応答すると、ファクシミリ通信制御部１３によってファクシミリ受信プロトコルを開始して、コールバック要求してきた緊急の画像データを受信して処理を終了する（ステップＳ２１５）。
【００５２】
そして、コールバック待ち状態（緊急送信応答待機状態）にある発呼端末Ｔａは、図８に示すように、着呼があるかチェックし（ステップＳ３０１）、着呼があると、呼接続メッセージ受信部１２で呼接続メッセージを受信して、受信した呼接続メッセージを呼接続メッセージデコード部９でデコードして、コールバック応答パラメータがセットされているか、すなわち、呼接続メッセージが切断用呼接続メッセージであってコールバック応答パラメータが付加されているかチェックする（ステップＳ３０２）。
【００５３】
そして、発呼端末Ｔａは、ステップＳ３０２で、コールバック応答パラメータがセットされていないときには、ファクシミリ通信制御部１３によって、通常のファクシミリ受信プロトコルを開始し、通常のファクシミリ受信を行う（ステップＳ３０３）。
【００５４】
ステップＳ３０２で、呼接続メッセージにコールバック応答パラメータがセットされているときには、発呼端末Ｔａは、呼接続メッセージに付加されているコールＩＤ（ＣａｌｌＩＤ）が、先に送信したコールＩＤと一致するか否かによって、該コールＩＤが正しいか否かチェックする（ステップＳ３０４）。
【００５５】
発呼端末Ｔａは、ステップＳ３０４で、コールＩＤが正しいときには、ファクシミリ通信制御部１３によってファクシミリ送信プロトコルを開始し、先に磁気ディスク部６に蓄積した緊急の画像データを読み出して着呼端末Ｔｂにファクシミリ送信する（ステップＳ３０５）。
【００５６】
発呼端末Ｔａは、ステップＳ３０４で、コールＩＤが間違っているときには、ファクシミリ通信を切断してコールバックによるファクシミリ通信を終了する（ステップＳ３０６）。
【００５７】
このように、本実施例のファクシミリ装置１においては、図９にその接続メッセージのシーケンスを示すように、発呼端末Ｔａが、緊急送信を行う場合、Ｓｅｔｕｐにおいて、コールバック要求とコールＩＤ（ＣａｌｌＩＤ）を付加して着呼端末Ｔｂに送信し、着呼端末ＴｂがＣａｌｌＰｒｏｃｅｅｄｉｎｇを送ってきて、着呼端末Ｔｂが応答できないときには、発呼端末Ｔａが、次のＲｅｌｅａｓｅＣｏｍｐｌｅｔｅにおいて、コールバック受付とコールＩＤ（ＣａｌｌＩＤ）を付加して発呼端末Ｔａに送って送信対象の画像データを磁気ディスク部６に保管する。
【００５８】
その後、着呼端末Ｔｂが、発呼可能状態になると、Ｓｅｔｕｐにおいて、コールバック応答とコールＩＤ（ＣａｌｌＩＤ）を付加して発呼端末Ｔａに送信し、発呼端末Ｔａが、ＣａｌｌＰｒｏｃｅｅｄｉｎｇ及びＣｏｎｎｅｃｔの手順を行った後、発呼端末Ｔａから着呼端末Ｔｂに対して磁気ディスク部６に保管しておいた画像データを送信する。
【００５９】
なお、発呼端末Ｔａは、緊急送信の指定をテーブル管理してもよい。すなわち、発呼端末Ｔａは、例えば、上記操作表示部（設定手段）４での相手先を指定して緊急送信モードの設定操作があると、ＣＰＵが、例えば、図１０に示すような緊急宛先管理テーブル（緊急送信要否設定テーブル）を、緊急送信要否設定テーブル記憶手段である磁気ディスク部６や上記ＮＶＲＡＭ等に作成して保管管理し、この緊急宛先管理テーブルを参照して緊急送信の指定されている発呼要求であるかチェックする。なお、緊急宛先管理テーブルは、図１０に示すように、宛先（アドレス）と緊急通信設定のオン（ＯＮ）、オフ（ＯＦＦ）が設定されたテーブルとなっている。
【００６０】
そして、緊急宛先管理テーブルで緊急送信を管理する場合、発呼端末Ｔａは、図２に示した発呼側の緊急ファクシミリ通信制御処理を、図１１に示すように実行する。なお、図１１では、図２と同様の処理ステップには、同一のステップナンバが付与されており、図１１の説明では、図２と異なる部分を中心に説明する。
【００６１】
すなわち、発呼端末Ｔａは、図１１に示すように、ＣＰＵが、待機時に発呼要求があったかチェックし（ステップＳ１０１）、宛先を特定した発呼要求があると、図１０に示した緊急宛先管理テーブルを検索して（ステップＳ１２１）、該発呼要求が緊急送信の指定されている発呼要求であるかチェックする（ステップＳ１２２）。
【００６２】
ステップＳ１２２で、緊急送信が指定されていないときには、呼接続メッセージエンコード部８が通常の呼接続メッセージを生成して呼接続メッセージ送信部１１から相手端末Ｔｂに送信し（ステップＳ１０３）、緊急送信が指定されていると、呼接続メッセージエンコード部８が、緊急送信要求パラメータであるコールバック要求パラメータと呼特定情報であるコールＩＤ（ＣａｌｌＩＤ）を、呼接続メッセージに追加して（ステップＳ１０４）、呼接続メッセージ送信部１１から該パラメータの追加されている呼接続メッセージを送信する（ステップＳ１０３）。
【００６３】
発呼端末Ｔａは、以下、図２の場合と同様に、緊急ファクシミリ通信の発呼処理を実行する（ステップＳ１０５〜Ｓ１１１）。
【００６４】
このように、本実施例は、発呼端末Ｔａが、緊急送信が指示操作されたファクシミリデータの送信を行うための発呼において、着呼端末Ｔｂからファクシミリ通信不可状態にあることを示すメッセージを受信すると、緊急送信を要求する旨の緊急送信要求パラメータであるコールバック要求パラメータ及び緊急送信を要求している呼を特定するための呼特定情報であるコールＩＤを呼接続メッセージへ付加して送信し、着呼端末Ｔｂからコールバック要求を受け付けた旨の緊急送信受付パラメータであるコールバック受付パラメータ及び該コールＩＤの付加されている呼接続メッセージを受け取ると、該コールＩＤに対応させて緊急送信対象のファクシミリデータ（画像データ）を磁気ディスク部６に蓄積して着呼端末Ｔｂからの緊急送信応答を待つ緊急送信応答待機状態に移行し、該緊急送信応答待機状態において、緊急送信要求に応答する旨の緊急送信応答パラメータであるコールバック応答パラメータ及びコールＩＤの付加されている呼接続メッセージを受け取ると、磁気ディスク部６に蓄積されている該ファクシミリデータを着呼端末Ｔｂに送信し、着呼端末Ｔｂが、コールバック要求パラメータ及びコールＩＤの付加されている呼接続メッセージを受信しても、ファクシミリデータの受信不可状態にあると、該コールバック要求を受け付けた旨のコールバック受付パラメータとコールＩＤを呼接続メッセージに付加して送信して緊急応答待機状態（コールバック応答待機状態）に移行し、該緊急応答待機状態において、ファクシミリ通信可能状態（発呼可能状態）になると、コールバック応答パラメータ及びコールＩＤを呼接続メッセージに付加してコールバック要求を行ってきた発呼端末Ｔａに送信する緊急送信応答発呼を行って、発呼端末Ｔａが応答すると、発呼端末Ｔａからファクシミリデータを受信している。
【００６５】
したがって、緊急を要する画像データを受信側である着呼端末Ｔｂが受信可能な状態となった時点で速やかにかつ確実に送信することができ、利用性を向上させることができる。例えば、商品受注センターと支店との間のファクシミリ通信による注文伝票のファクシミリ送信において、トラフィックが高い場合にも、確実にかつ速やかに注文伝票のファクシミリ送信を行うことができる。
【００６６】
また、本実施例においては、ファクシミリデータに対して、または、着呼端末を指定して緊急送信指定すると、着呼側のファクシミリ装置１である着呼端末Ｔｂが受信不可の場合にのみ、自動的に、コールバック送信要求を行い、着呼端末Ｔｂがコールバック送信受付を行って、ファクシミリ受信が可能な時点で、着呼端末Ｔｂからのコールバックによって、緊急指定されたファクシミリデータを送信している。
【００６７】
したがって、相手ビジーでファクシミリ送信できない場合のみ、手動操作で緊急送信指定を行って緊急送信処理を行わせる必要が無く、統一した操作で、確実に緊急のファクシミリデータを送信することができ、より一層利用性を向上させることができる。
【００６８】
さらに、本実施例においては、発呼端末Ｔａが、緊急送信の必要な宛先と緊急送信設定のオン／オフを、緊急宛先管理テーブルに登録して、宛先を指定することで、緊急送信する。
【００６９】
したがって、簡単な操作で緊急送信を行うことができ、利用性をより一層向上させることができる。
【実施例２】
【００７０】
図１２は、本発明のファクシミリ装置、ファクシミリ通信システム、ファクシミリ通信制御方法、ファクシミリ通信制御プログラム及び記録媒体の第２実施例を適用したファクシミリ装置による発呼側の着信時の緊急ファクシミリ通信制御処理を示すフローチャートである。
【００７１】
なお、本実施例は、上記第１実施例のファクシミリ装置１とファクシミリ装置に適用したものであり、本実施例の説明においては、必要に応じて、第１実施例の説明で用いた符号をそのまま用いて説明する。
【００７２】
本実施例は、着信時に、着信拒否が、画像データを用紙無しやメモリフル（メモリ受信での受信画像データを格納する磁気ディスク部６の容量が満杯）等の着信機能に起因する理由のみであると、コールバック応答着信に対しては、着信拒否を行わずに、着信を行う。
【００７３】
すなわち、発呼端末Ｔａは、緊急送信が指定されると、図２に示したように、呼接続メッセージに緊急送信要求用のコールバック要求パラメータを付加して送信して、相手先の着呼端末Ｔｂがビジー等でファクシミリ送信できないときにも、コールバック要求を着呼端末Ｔｂに通知して、着呼端末Ｔｂからのコールバック応答を待つ緊急送信応答待機状態に移行し、図１２に示すように着信時の緊急ファクシミリ通信制御処理を行う。
【００７４】
そして、発呼端末Ｔａは、図１２に示すように、緊急送信応答待機状態において着信があると（ステップＳ４０１）、通信数管理部１４によって着呼応答が可能かチェックし（ステップＳ４０２）、着呼応答が可能であると、ファクシミリ通信制御部１３によって通常のファクシミリ受信プロトコルを開始して通常のファクシミリ受信処理を行う（ステップＳ４０３）。
【００７５】
ステップＳ４０２で、着呼応答ができないときには、該着呼応答ができない理由が用紙無しやメモリフル等の着信機能のみの理由であるか否かを受信系エラー検出部７によって検出し（ステップＳ４０４）、着呼応答ができない理由が、着信機能に限定されないその他の故障等の理由であると、通常の切断用呼接続メッセージを呼接続メッセージ送信部１１から発呼端末Ｔａへ送信して着信処理を終了する（ステップＳ４０５）。
【００７６】
発呼端末Ｔａは、ステップＳ４０４で、着呼応答できない理由が着信機能に限定されるときには、呼接続メッセージ受信部１２によって切断用呼接続メッセージを受信して呼接続メッセージでコード部９でデコードして、コールバック応答パラメータがセットされているかチェックし（ステップＳ４０６）、呼接続メッセージにコールバック応答パラメータがセットされていないときには、通常の切断用呼接続メッセージを呼接続メッセージ送信部１１から発呼端末Ｔａへ送信して着信処理を終了する（ステップＳ４０７）。
【００７７】
ステップＳ４０６で、呼接続メッセージにコールバック応答パラメータがセットされているときには、発呼端末Ｔａは、呼接続メッセージパラメータ内に付加されているコールＩＤ（ＣａｌｌＩＤ）が、先に送信したコールＩＤと一致するか（正しいか）チェックし（ステップＳ４０８）、コールＩＤが正しくないときには、通常の切断用呼接続メッセージを呼接続メッセージ送信部１１から発呼端末Ｔａへ送信して着信処理を終了する（ステップＳ４０７）。
【００７８】
ステップＳ４０８で、コールＩＤが正しいときには、発呼端末Ｔａは、ファクシミリ通信制御部１３によってファクシミリ送信プロトコルを開始し、先に磁気ディスク部６に蓄積した画像データを読み出して着呼端末Ｔｂにファクシミリ送信する（ステップＳ４０９）。
【００７９】
このように、本実施例の発呼端末Ｔａは、着呼端末Ｔｂからコールバック応答パラメータとコールＩＤの付加されている呼接続メッセージを受け取ったときに、ファクシミリデータの通信不可状態であっても、ファクシミリデータを受信する受信系にのみに該通信不可の理由がある場合には、呼を接続して応答し、磁気ディスク部６に蓄積されている緊急送信用のファクシミリデータを着呼端末Ｔｂにファクシミリ送信している。
【００８０】
したがって、紙無しやメモリフル等の受信系にのみファクシミリ通信不可の理由がある場合には、ファクシミリデータの送信には影響がないため、コールバックによる緊急のファクシミリデータを送信することができ、より一層確実にかつ速やかに緊急送信を行うことができる。
【実施例３】
【００８１】
図１３は、本発明のファクシミリ装置、ファクシミリ通信システム、ファクシミリ通信制御方法、ファクシミリ通信制御プログラム及び記録媒体の第３実施例を適用したファクシミリ装置による着呼側の緊急ファクシミリ通信制御処理を示すフローチャートである。
【００８２】
なお、本実施例は、上記第１実施例のファクシミリ装置１とファクシミリ装置に適用したものであり、本実施例の説明においては、必要に応じて、第１実施例の説明で用いた符号をそのまま用いて説明する。
【００８３】
本実施例は、着呼端末Ｔｂがコールバック応答を設定して管理している状態（緊急送信応答待機状態）で、コールバック応答を行っても相手端末が応答しない等の場合に、図１３に示すように、一旦コールバック応答設定を解除する緊急ファクシミリ通信着呼処理を行う。なお、図１３において、図６と同様の処理ステップには、同一のステップナンバを付与して、その説明を簡略化する。
【００８４】
すなわち、着呼端末Ｔｂは、図１３に示すように、着信があるかチェックして（ステップＳ２０１）、着信があると、通信数管理部１４によって自端末が受信応答可能な状態であるかチェックし（ステップＳ２０２）、着信が可能な状態であると、ファクシミリ通信制御部１３によって通常のファクシミリ受信プロトコルを開始して通常のファクシミリ受信処理を行う（ステップＳ２０３）。
【００８５】
ステップＳ２０２で、自端末がビジー等で応答できないときには、呼接続メッセージでコード部９で呼接続メッセージをデコードして、呼接続メッセージにコールバック送信要求パラメータが付加されているか否か、すなわち、緊急送信指定があるか否かチェックし（ステップＳ２０４）、呼接続メッセージにコールバック要求パラメータが付加されておらず緊急送信指定がないときには、通常の切断用呼接続メッセージを呼接続メッセージ送信部１１から発呼端末Ｔａへ送信して処理を終了する（ステップＳ２０５）。
【００８６】
ステップＳ２０４で、呼接続メッセージにコールバック要求パラメータが付加されていて緊急送信指定があると、切断用呼接続メッセージにコールバック受付パラメータを付加するとともに、コールＩＤ（ＣａｌｌＩＤ）を付加して（ステップＳ２０６）、呼接続メッセージ送信部１１から発呼端末Ｔａへ送信する（ステップＳ２０７）。
【００８７】
着呼端末Ｔｂは、切断用呼接続メッセージを送信すると、該発呼端末ＴａのＩＰアドレスを、磁気ディスク部６または図示しないＮＶＲＡＭ等に設けられているコールバック要求管理テーブルのコールバック宛先に登録するとともに（ステップＳ２０８）、この宛先（ＩＰアドレス）に対応させて、送信したコールＩＤ（ＣａｌｌＩＤ）を登録して緊急送信応答待機状態に移行し（ステップＳ２０９）、発呼可能な状態になったかチェックする（ステップＳ２１０）。
【００８８】
ステップＳ２１０で、緊急送信応答待機状態において発呼可能な状態になると、着呼端末Ｔｂは、コールバック要求管理テーブルを参照して、コールバック宛先からＩＰアドレスを取り出し（ステップＳ２１１）、コールバック要求管理テーブルから該ＩＰアドレスに対応させて登録されているコールＩＤ（ＣａｌｌＩＤ）を取り出して、呼接続メッセージエンコード部８によって、呼接続メッセージにコールバック応答パラメータをセットするとともに、コールＩＤ（ＣａｌｌＩＤ）をセットする（ステップＳ２１２）。
【００８９】
着呼端末Ｔｂは、コールバック応答パラメータとコールＩＤを呼接続メッセージに付加し、呼接続メッセージ送信部１１から発呼端末Ｔａに送信する（ステップＳ２１３）。
【００９０】
着呼端末Ｔｂは、コールバック応答パラメータとコールＩＤを追加した呼接続メッセージを発呼端末Ｔａに送信すると、相手先にファクシミリ通信機能がないか、または、相手先が応答しないかチェックし（ステップＳ５０１）、相手先である発呼端末Ｔａが応答すると、ファクシミリ通信制御部１３によってファクシミリ受信プロトコルを開始して、コールバック要求してきた緊急の画像データを受信して処理を終了する（ステップＳ２１５）。
【００９１】
着呼端末Ｔｂは、ステップＳ５０１で、相手先にファクシミリ通信機能がないか、応答しないときには、該コールバック応答による発呼を中止するとともに、コールバック応答受信管理テーブルから該コールバック宛先とコールＩＤを削除する（ステップＳ５０２）。
【００９２】
このように、本実施例の着呼端末Ｔｂは、コールバック応答によって発呼した際に発呼端末Ｔａがビジー等でファクシミリ通信を開始できないときには、一旦、コールバック応答待機状態を解除することで、いつまでも、複雑な通信待機状態が継続されることを防止することができ、利用性を向上させることができる。
【実施例４】
【００９３】
図１４は、本発明のファクシミリ装置、ファクシミリ通信システム、ファクシミリ通信制御方法、ファクシミリ通信制御プログラム及び記録媒体の第４実施例を適用したファクシミリ装置による着呼側の緊急ファクシミリ通信制御処理を示すフローチャートである。
【００９４】
なお、本実施例は、上記第１実施例のファクシミリ装置１とファクシミリ装置に適用したものであり、本実施例の説明においては、必要に応じて、第１実施例の説明で用いた符号をそのまま用いて説明する。
【００９５】
本実施例は、着呼端末Ｔｂがコールバック応答を設定して管理している状態で、コールバック応答を行っても発呼端末Ｔａがビジーによって応答しない場合に、図１４に示すように、所定の再発呼時間間隔を空けてコールバック応答の再発呼を行う緊急ファクシミリ通信制御処理を行う。なお、図１４において、図６と同様の処理ステップには、同一のステップナンバを付与して、その説明を簡略化する。
【００９６】
すなわち、着呼端末Ｔｂは、図１４に示すように、着信があるかチェックして（ステップＳ２０１）、着信があると、通信数管理部１４によって自端末が受信応答可能な状態であるかチェックし（ステップＳ２０２）、着信が可能な状態であると、ファクシミリ通信制御部１３によって通常のファクシミリ受信プロトコルを開始して通常のファクシミリ受信処理を行う（ステップＳ２０３）。
【００９７】
ステップＳ２０２で、自端末がビジー等で応答できないときには、呼接続メッセージでコード部９で呼接続メッセージをデコードして、呼接続メッセージにコールバック要求パラメータが付加されているか否か、すなわち、緊急送信指定があるかチェックし（ステップＳ２０４）、緊急送信指定がないときには、通常の切断用呼接続メッセージを呼接続メッセージ送信部１１から発呼端末Ｔａへ送信して処理を終了する（ステップＳ２０５）。
【００９８】
ステップＳ２０４で、呼接続メッセージにコールバック要求パラメータが付加されていて緊急送信指定があると、切断用呼接続メッセージにコールバック受付パラメータを付加するとともに、コールＩＤ（ＣａｌｌＩＤ）を付加して（ステップＳ２０６）、呼接続メッセージ送信部１１から発呼端末Ｔａへ送信する（ステップＳ２０７）。
【００９９】
着呼端末Ｔｂは、切断用呼接続メッセージを送信すると、該発呼端末ＴａのＩＰアドレスを、磁気ディスク部６または図示しないＮＶＲＡＭ等に設けられているコールバック要求管理テーブルのコールバック宛先に登録するとともに（ステップＳ２０８）、この宛先（ＩＰアドレス）に対応させて、送信したコールＩＤ（ＣａｌｌＩＤ）を登録して緊急応答待機状態に移行し（ステップＳ２０９）、発呼可能な状態になったかチェックする（ステップＳ２１０）。
【０１００】
ステップＳ２１０で、発呼可能な状態になると、着呼端末Ｔｂは、コールバック要求管理テーブルを参照して、コールバック宛先からＩＰアドレスを取り出し（ステップＳ２１１）、コールバック要求管理テーブルから該ＩＰアドレスに対応させて登録されているコールＩＤ（ＣａｌｌＩＤ）を取り出して、呼接続メッセージエンコード部８によって、呼接続メッセージにコールバック応答パラメータをセットするとともに、コールＩＤ（ＣａｌｌＩＤ）をセットする（ステップＳ２１２）。
【０１０１】
着呼端末Ｔｂは、コールバック応答パラメータとコールＩＤを呼接続メッセージに付加し、呼接続メッセージ送信部１１から発呼端末Ｔａに送信する（ステップＳ２１３）。
【０１０２】
着呼端末Ｔｂは、コールバック応答パラメータとコールＩＤを付加した呼接続メッセージを発呼端末Ｔａに送信すると、相手先がビジーで応答しないかチェックし（ステップＳ６０１）、相手先である発呼端末Ｔａが応答すると、ファクシミリ通信制御部１３によってファクシミリ受信プロトコルを開始して、コールバック要求してきた緊急の画像データを受信して処理を終了する（ステップＳ２１５）。
【０１０３】
着呼端末Ｔｂは、ステップＳ６０１で、相手先がビジーで応答しないときには、該コールバック応答による発呼を中断し、予め設定されている再発呼時間だけ待機した後（ステップＳ６０２）、ステップＳ２１０に戻って、発呼可能かどうかのチェックを行う（ステップＳ２１０）。
【０１０４】
ステップＳ２１０で、再発呼が可能であると、上記同様に、コールバック応答管理テーブルからコールバック宛先のＩＰアドレスを取り出すとともに、コールＩＤを取得して呼接続メッセージにセットし（ステップＳ２１２、Ｓ２１３）、コールバック応答パラメータとコールＩＤをセットして発呼端末Ｔａに送信する処理から上記同様に処理する（ステップＳ２１０〜Ｓ２１３、Ｓ２１５、Ｓ６０１、Ｓ６０２）。
【０１０５】
このように、本実施例の着呼端末Ｔｂは、コールバック応答によって発呼を行っても、相手の発呼端末Ｔａがビジーによって応答しないときには、所定の再発呼時間だけ待機して再度コールバック応答による発呼を継続して行うことができ、より一層確実に緊急データを送信して、利用性を向上させることができる。
【実施例５】
【０１０６】
図１５及び図１６は、本発明のファクシミリ装置、ファクシミリ通信システム、ファクシミリ通信制御方法、ファクシミリ通信制御プログラム及び記録媒体の第５実施例を示す図であり、図１５は、本発明のファクシミリ装置、ファクシミリ通信システム、ファクシミリ通信制御方法、ファクシミリ通信制御プログラム及び記録媒体の第５実施例を適用したファクシミリ装置に格納されているコールバック応答受信待ち管理テーブルの一例を示す図、図１６は、発呼端末による緊急ファクシミリ通信制御処理を示すフローチャートである。
【０１０７】
なお、本実施例は、上記第１実施例のファクシミリ装置１とファクシミリ装置に適用したものであり、本実施例の説明においては、必要に応じて、第１実施例の説明で用いた符号をそのまま用いて説明する。
【０１０８】
本実施例は、発呼端末Ｔａがコールバック要求を行うと、コールバック応答受信を管理して予め設定したコールバック待ち時間が経過すると、コールバック応答待ちを解除する緊急ファクシミリ通信制御処理を行う。
【０１０９】
すなわち、発呼端末Ｔａは、図２に示したように、緊急送信の指定に従って呼接続メッセージに緊急送信要求用のコールバック要求パラメータとコールＩＤをセットして発呼して、着呼端末Ｔｂが応答しない場合、図１５に示すようなコールバック応答受信待ち管理テーブルの宛先欄に、該着呼端末ＴｂのＩＰアドレスを、このＩＰアドレスに対応させて呼特定情報であるコールＩＤ（ＣａｌｌＩＤ）を登録するとともに、該宛先である着呼端末Ｔｂからのコールバック応答発呼の待ち時間であるコールバック待ち時間を設定登録する。発呼端末Ｔａは、コールバック受信待ち管理テーブルへの登録を行うと、緊急送信応答待機状態（コールバック応答着呼待ち状態）となって、図１６に示す緊急ファクシミリ通信制御処理を行う。なお、図１６では、図８の発呼側の着信時の緊急ファクシミリ通信処理と同様の処理ステップには、同一のステップナンバを付与して、その説明を簡略化する。
【０１１０】
そして、発呼端末Ｔａは、図１６に示すように、着呼があるかチェックし（ステップＳ３０１）、着呼があると、呼接続メッセージ受信部１２で呼接続メッセージを受信して、受信した呼接続メッセージを呼接続メッセージデコード部９でデコードし、コールバック応答パラメータがセットされているか、すなわち、呼接続メッセージが切断用呼接続メッセージであってコールバック応答パラメータが付加されているかチェックする（ステップＳ３０２）。
【０１１１】
そして、発呼端末Ｔａは、ステップＳ３０２で、コールバック応答パラメータがセットされていないときには、ファクシミリ通信制御部１３によって、通常のファクシミリ受信プロトコルを開始し、通常のファクシミリ受信を行う（ステップＳ３０３）。
【０１１２】
ステップＳ３０２で、呼接続メッセージにコールバック応答パラメータがセットされているときには、発呼端末Ｔａは、呼接続メッセージに付加されているコールＩＤ（ＣａｌｌＩＤ）が、図１５に示したコールバック応答受信待ち管理テーブルの該相手先のＩＰアドレスに対して登録されているコールＩＤと一致するか否かによって、該コールＩＤが正しいか否かチェックする（ステップＳ３０４）。
【０１１３】
発呼端末Ｔａは、ステップＳ３０４で、コールＩＤが間違っているときには、ファクシミリ通信を切断してコールバックによるファクシミリ通信を終了する（ステップＳ３０６）。
【０１１４】
発呼端末Ｔａは、ステップＳ３０４で、コールＩＤが正しいときには、コールバック応答受信待ち管理テーブルの該着信相手のＩＰアドレスに対して登録されているコールバック待ち時間（制限時間）以内であるか、すなわち、先に該着呼端末Ｔｂに対してコールバック要求の発呼を行ってから該コールバック待ち時間内の着信であるかチェックし（ステップＳ７０１）、コールバック待ち時間内の着信であると、ファクシミリ通信制御部１３によってファクシミリ送信プロトコルを開始して、先に磁気ディスク部６に蓄積した画像データを読み出して着呼端末Ｔｂにファクシミリ送信する（ステップＳ３０５）。
【０１１５】
発呼端末Ｔａは、ステップＳ７０１で、コールバック待ち時間を過ぎた着信であると、ファクシミリ通信を切断してコールバックによるファクシミリ通信を終了する（ステップＳ３０６）。
【０１１６】
このように、本実施例の発呼端末Ｔａは、コールバック要求を行ってから着呼端末Ｔｂからのコールバック応答が、所定のコールバック待ち時間内にないときには、コールバック待ち状態を解除して、他の方法で緊急データを送信した場合等において、磁気ディスク部６に蓄積した緊急データを削除するとともに、コールバック待ち状態が継続されることを防止することができ、利用性を向上させることができる。
【０１１７】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【０１１８】
本発明は、緊急の画像データをファクシミリ送受信するファクシミリ装置、ファクシミリシステム、ファクシミリ通信制御方法、ファクシミリ通信制御プログラム及び記録媒体に利用することができる。
【符号の説明】
【０１１９】
１  ファクシミリ装置
２  スキャナ部
３  プロッタ部  ４  操作表示部
５  時計回路部
６  磁気ディスク部
７  受信系エラー検出部
８  呼接続メッセージエンコード部
９  呼接続メッセージデコード部
１０  コールＩＤ生成部
１１  呼接続メッセージ送信部
１２  呼接続メッセージ受信部
１３  ファクシミリ通信制御部
１４  通信数管理部
１５  バス
【先行技術文献】
【特許文献】
【０１２０】
【特許文献１】特開２００７−３３６３９３号公報
【図１】
2011023916.tif 000003
【図２】
2011023916.tif 000004
【図３】
2011023916.tif 000005
【図４】
2011023916.tif 000006
【図５】
2011023916.tif 000007
【図６】
2011023916.tif 000008
【図７】
2011023916.tif 000009
【図８】
2011023916.tif 000010
【図９】
2011023916.tif 000011
【図１０】
2011023916.tif 000012
【図１１】
2011023916.tif 000013
【図１２】
2011023916.tif 000014
【図１３】
2011023916.tif 000015
【図１４】
2011023916.tif 000016
【図１５】
2011023916.tif 000017
【図１６】
2011023916.tif 000018